(57)【要約】【課題】本発明はプリンタ装置等の印刷装置に係り、特に印刷装置或いは消耗品全体の寿命の長期化の為の改善動作を図るロングライフモードを実現する印刷装置を提供するものである。【解決手段】本発明は印刷データが受信バッファに保持されると、装置の状態を判断し、装置の状態に基づいて直ちに印刷処理を実行できないと判断するとき、ロングライフモードの処理を実行し、ホスト機器から所定数の印刷ジョブを受信するまで待ってから、受信された印刷データをまとめて印刷処理することによって、装置及び消耗品の寿命の長期化を図る印刷装置の構成である。【選択図】      図１
2010000798.tif 000002
【特許請求の範囲】
【請求項１】
ホスト機器から出力された印刷データを受信し、受信バッファに蓄積する印刷ジョブに基づいて印刷処理を行うプリンタからなる印刷システムにおいて、前記プリンタは、
最小の動作時間で印刷処理を行うロングライフモードのモード設定手段と、
予め受信バッファに保持を許容する印刷ジョブ数を設定する設定手段と、
前記受信バッファに保持された印刷ジョブの数を識別する識別手段と、
前記モード設定手段に前記ロングライフモードが設定されている場合には、
前記識別手段の識別数が前記設定手段の設定数に達しない間、前記受信バッファに印刷ジョブが蓄積されても印刷処理の開始を禁止する制御手段と、を備えることを特徴とする印刷システム。
【請求項２】
前記プリンタは、スリープ状態に維持するスリープ制御手段を有し、前記制御手段は、スリープ状態であると判断するとロングライフモード動作を行うことを特徴とする請求項１記載の印刷システム。
【請求項３】
前記プリンタは、予熱状態に維持する予熱制御手段を有し、前記制御手段は、予熱状態であると判断するとロングライフモード動作を行うことを特徴とする請求項１記載の印刷システム。
【請求項４】
前記プリンタは、アイドリング状態に維持するアイドリング制御手段を有し、前記制御手段は、アイドリング状態であると判断するとロングライフモード動作を行うことを特徴とする請求項１記載の印刷システム。
【発明の詳細な説明】
【技術分野】
【０００１】
本発明はプリンタ装置等の印刷装置からなる印刷システムに係り、特に装置寿命の長い印刷システムに関する。
【背景技術】
【０００２】
プリンタ装置等の印刷装置には、感光体や、転写ベルト、現像剤、記録紙等の多く消耗品が使用されている。環境資源保護の見地から印刷装置においても、上記消耗品を有用に使用し、消耗品の寿命を延ばしつつ印刷装置自体の寿命も延ばすことが求められている。
【０００３】
例えば、上記例として、従来の電子写真方式の印刷装置では、トナーの消費量を削減するため、トナーセーブモードを設け、試し印刷等において、トナー濃度の薄い印刷を行い、トナー消費量を削減している。
【０００４】
また、特許文献１の発明は、スプーラに蓄積された印刷ジョブについて、実行中の印刷ジョブと同じクライアントコンピュータから指示された印刷ジョブが連続して実行されるように実行順序を変更し、受け付けた印刷ジョブを効率よくまとめて実行し、印刷物の選別作業を軽減する発明である。
【先行技術文献】
【特許文献】
【０００５】
【特許文献１】特開２００３−２８８１８８号公報
【発明の概要】
【発明が解決しようとする課題】
【０００６】
しかしながら、上記トナーセーブモードを実行する場合、印刷濃度が薄く、例えばカラー印刷の試し刷りでは、充分な試し刷りの効果が得られない。また、感光体（ドラム）や、転写ベルト、定着器、本体装置等の寿命を延ばす為には、装置或いは消耗品全体の寿命の長期化を図る必要がある。
そこで本発明は、印刷装置或いは消耗品全体の寿命の長期化の為の改善動作を図るロングライフモードを実現する印刷システムを提供するものである。
【課題を解決するための手段】
【０００７】
上記課題は第１の発明によれば、ホスト機器から出力された印刷データを受信し、受信バッファに蓄積する印刷ジョブに基づいて印刷処理を行うプリンタからなる印刷システムにおいて、前記プリンタは、最小の動作時間で印刷処理を行うロングライフモードのモード設定手段と、予め受信バッファに保持を許容する印刷ジョブ数を設定する設定手段と、前記受信バッファに保持された印刷ジョブの数を識別する識別手段と、前記モード設定手段に前記ロングライフモードが設定されている場合には、前記識別手段の識別数が前記設定手段の設定数に達しない間、前記受信バッファに印刷ジョブが蓄積されても印刷処理の開始を禁止する制御手段とを備えることを特徴とする印刷システムを提供することによって達成できる。
【０００８】
上記課題は第２の発明によれば、前記プリンタが、スリープ状態に維持するスリープ制御手段を有し、前記制御手段は、スリープ状態であると判断すると前記ロングライフモード動作を行う印刷システムを提供することによって達成できる。
【０００９】
上記課題は第３の発明によれば、前記プリンタが、予熱状態に維持する予熱制御手段を有し、前記制御手段は、予熱状態であると判断すると前記ロングライフモード動作を行う印刷システムを提供することによって達成できる。
【００１０】
上記課題は第４の発明によれば、前記プリンタが、アイドリング状態に維持するアイドリング制御手段を有し、前記制御手段は、アイドリング状態であると判断すると前記ロングライフモード動作を行う印刷システムを提供することによって達成できる。
【発明の効果】
【００１１】
上記課題の解決手段によれば、印刷装置の最小の動作時間で印刷処理を行うことができ、消耗品の無駄を無くし、電力の無駄を省き、寿命を有する部品を効率よく使用し、装置の寿命を延ばすことができる。
【図面の簡単な説明】
【００１２】
【図１】実施形態１におけるプリンタ装置の断面図である。
【図２】実施形態１における制御回路を説明する図である。
【図３】実施形態１の処理を説明するフローチャートである。
【図４】ロングライフモードの説明するフローチャートである。
【図５】実施形態２における構成を説明する回路図である。
【図６】（ａ）、（ｂ）は、実施形態２の処理動作を説明するフローチャートである。
【図７】（ａ）は、カラー印刷状態に転写ベルトを移動した状態を示し、（ｂ）は、モノクロ印刷状態に転写ベルト１４を移動した状態を示し、（ｃ）は、転写ベルトを退避位置に移動した状態を示す。
【発明を実施するための形態】
【００１３】
以下、本発明の実施の形態を図面を参照しながら説明する。
（実施形態１）
図１は、本発明の実施形態１における二次転写式画像形成装置（以下、単にプリンタ装置という）の内部構成を説明する断面図である。同図に示すプリンタ装置１は、電子写真式で二次転写方式のタンデム型のカラー画像形成装置であり、４つの画像形成部２、中間転写ベルトユニット３、給紙部４、及び両面印刷用搬送ユニット５で構成されている。
【００１４】
上記４つの画像形成部２は、同図の右から左へ４個の画像形成ユニット６（６Ｍ、６Ｃ、６Ｙ、６Ｋ）を多段式に並設した構成からなる。
上記４個の画像形成ユニット６のうち上流側（図の右側）の３個の画像形成ユニット６Ｍ、６Ｃ、及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として文字や画像の暗黒部分等に用いられるブラック（Ｋ）トナーによるモノクロ画像を形成する。
【００１５】
上記の各画像形成ユニット６は、トナー容器に収納されたトナーの色を除き全て同じ構成である。したがって、以下ブラック（Ｋ）用の画像形成ユニット６Ｋを例にしてその構成を説明する。
【００１６】
画像形成ユニット６は、最下部に感光体ドラム７を備えている。この感光体ドラム７は、その周面が例えば有機光導電性材料で構成されている。この感光体ドラム７の周面近傍を取り巻いて、クリーナ８、帯電ローラ９、光ヘッド１１、及び現像器１２の現像ローラ１３が配置されている。
【００１７】
現像器１２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備え、下部には側面開口部に上述した現像ローラ１３を備え、内部にトナー撹拌部材、現像ローラ１３にトナーを供給するトナー供給ローラ、現像ローラ１３上のトナー層を一定の層厚に規制するドクターブレード等を備えている。
【００１８】
中間転写ベルトユニット３は、本体装置のほぼ中央で図の左右のほぼ端から端まで扁平なループ状になって延在する無端状の転写ベルト１４と、この転写ベルト１４を掛け渡されて転写ベルト１４を図の反時計回り方向に循環移動させる駆動ローラ１５と従動ローラ１６を備えている。
【００１９】
上記の転写ベルト１４は、トナー像を直接ベルト面に転写（一次転写）されて、そのトナー像を更に用紙に転写（二次転写）すべく用紙への転写位置まで搬送するので、ここではユニット全体を中間転写ベルトユニットとしている。
【００２０】
この中間転写ベルトユニット３は、上記扁平なループ状の転写ベルト１４のループ内にベルト位置制御機構１７を備えている。ベルト位置制御機構１７は、転写ベルト１４を介して感光体ドラム７の下部周面に押圧する導電性発泡スポンジから成る一次転写ローラ１８を備えている。
【００２１】
ベルト位置制御機構１７は、マゼンタ（Ｍ）、シアン（Ｃ）、及びイエロー（Ｙ）の３個の画像形成ユニット６Ｍ、６Ｃ、及び６Ｙに対応する３個の一次転写ローラ１８を鉤型の支持軸を中心に同一周期で回転移動させ、ブラック（Ｋ）の画像形成ユニット６Ｋに対応する１個の一次転写ローラ１８を上記３個の一次転写ローラ１８の周期と異なる回転移動周期で回転移動させて転写ベルト１４を感光体ドラム７から離接させ、フルカラーモード（４個全部の一次転写ローラ１８が転写ベルト１４に当接）、モノクロモード（画像形成ユニット６Ｋに対応する一次転写ローラ１８のみが転写ベルト１４に当接）、及び全非転写モード（４個全部の一次転写ローラ１８が転写ベルト１４から離れる）に切換える。実際の離間処理については実施形態２において詳しく述べる。
【００２２】
上記中間転写ベルトユニット３には、上面部のベルト移動方向最上流側の画像形成ユニット６Ｍの更に上流側に、ベルトクリーナユニットが配置され、下面部のほぼ全面に沿い付けるように平らで薄型の廃トナー回収容器１９が着脱自在に配置されている。
【００２３】
給紙部４は、上下２段に配置された２個の給紙カセット２１を備え、２個の給紙カセット２１の給紙口（図の右方）近傍には、それぞれ用紙取出ローラ２２、給送ローラ２３、捌きローラ２４、待機搬送ローラ対２５が配置されている。待機搬送ローラ対２５の用紙搬送方向（図の鉛直上方向）には、転写ベルト１４を介して従動ローラ１６に圧接する二次転写ローラ２６が配設されて、用紙への二次転写部を形成している。
【００２４】
この二次転写部の下流（図では上方）側にはベルト式熱定着装置２７が配置され、ベルト式熱定着装置２７の更に下流側には、定着後の用紙をベルト式熱定着装置２７から搬出する搬出ローラ対２８、及びその搬出される用紙を装置上面に形成されている排紙トレー２９に排紙する排紙ローラ対３１が配設されている。
【００２５】
両面印刷用搬送ユニット５は、上記搬出ローラ対２８と排紙ローラ対３１との中間部の搬送路から図の右横方向に分岐した開始返送路３２ａ、それから下方に曲がる中間返送路３２ｂ、更に上記とは反対の左横方向に曲がって最終的に返送用紙を反転させる終端返送路３２ｃ、及びこれらの返送路の途中に配置された４組の返送ローラ対３３ａ、３３ｂ、３３ｃ、３３ｄを備えている。上記終端返送路３２ｃの出口は、給紙部４の下方の給紙カセット２１に対応する待機搬送ローラ対２５への搬送路に連絡している。
【００２６】
また、本例において中間転写ベルトユニット３の上面部には、クリーニング部３５、取り込みローラ３６が配置されている。クリーニング部３５は、転写ベルト１４の上面に当接して廃トナーを擦り取って除去し、取り込みローラ３６はクリーニング部３５が除去した廃トナーを引き継いで、図示を省略したベルトクリーナユニットの一時貯留部に溜め込み、その溜め込まれた廃トナーを搬送スクリューにより落下筒内を上部まで搬送し、落下筒を介して廃トナー回収容器１９に送り込んでいる。
【００２７】
また、上記のクリーニング部３５を適度の圧力で転写ベルト１４に圧接させるため、中間転写ベルトユニット３側には、下方から転写ベルト１４をクリーニング部３５に向けて押圧する押圧ローラ３７が設けられている。
【００２８】
上記のように本例のプリンタ装置１は、待機搬送ローラ対２５により二次転写部まで鉛直方向に搬送される用紙に中間転写ベルト１４を介してトナー像を転写する方式となっている。このため、用紙の搬送路に発生する用紙ジャム等の不具合を回復するメンテナンス処理時には、同図の右側を開放するのみで対処できる構成である。
【００２９】
上記構成のプリンタ装置１において、転写ベルト１４には寿命があり、新品と交換される。転写ベルト１４の寿命は、例えば画像形成動作に応じてカウントアップするベルト寿命カウンタによって計測され、所定値に達すると新品に交換される。また、上記カウンタはベルト交換時にリセットされる。尚、上記寿命カウンタ以外に、転写ベルト１４の不図示の支持軸の回転量を計測する方法も使用できる。
【００３０】
また、感光体ドラム７にも寿命があり、寿命に達すると新品に交換される。感光体ドラム７の寿命も、例えば画像形成動作をドラムカウンタでカウントし、所定値に達すると新品に交換される。尚、上記カウンタ以外に、不図示のドラム軸の回転量をエンコーダで計測する方法も使用できる。
【００３１】
また、現像器１２（トナー容器）内に収納されたトナーの残量もロングライフモードを実施する上で重要であり、例えばトナー容器に残留するトナー量をセンサで検知する。例えば、反射型又は透過型のフォトセンサを使用し、又はトナー攪拌機構の回転状態を識別してトナー残量を計測する。
【００３２】
さらに、ベルト式熱定着装置２７は、非印字時予熱状態に保持され、印刷処理の際加熱制御される。
【００３３】
図２は上記制御を行う制御回路の構成を説明する図である。ホスト機器であるパーソナルコンピュータ（ＰＣ）から出力された印刷データは、プリンタ装置１の制御部３８に供給される。制御部３８はマイコン３８ａ、メモリ３８ｂ、ビデオ制御回路３８ｃで構成され、パーソナルコンピュータ（ＰＣ）から供給された印刷データはマイコン３８ａの制御に従ってメモリ３８ｂに展開され、更にビデオ制御回路３８ｃの制御に従ってビデオエンジン部３９に出力される。
【００３４】
また、マイコン３８ａからビデオエンジン部３９に印刷開始指示が出力されると共に、前述のベルト式熱定着装置２７に設置された定着ヒータへの電源供給のオン、オフ制御が行われる。さらに、マイコン３８ａは前述の転写ベルト１４の寿命を計測するベルト寿命カウンタや感光体ドラム７の寿命を計測するドラムカウンタの計測制御等も行う。
【００３５】
上記構成において、以下に本例の処理動作を説明する。
図３は本例の処理を説明するフローチャートである。同図において、先ずプリンタ装置１の初期化処理を行う（ステップ（以下、Ｓで示す）１）。例えば、前述のマイコン３８ａの制御により、ビデオエンジン部３９の各部の初期設定処理を行う。
【００３６】
次に、パーソナルコンピュータ（ＰＣ）から印刷データが送信され、例えばメモリ３８ｂ内の受信バッファに印刷データが保持されているか判断する（Ｓ２）。ここで、印刷データが保持されていなければ、印刷データの入力を待つ（Ｓ２がＮＯ）。
【００３７】
その後、印刷データが入力すると（Ｓ２がＹＥＳ）、消耗品環境が充分であるか判断する（Ｓ３）。例えば、センサによって検知したトナー残量が充分であるか、又はベルト寿命カウンタによって計測した転写ベルト１４の寿命が充分であるか、又はドラムカウンタで測定した感光体ドラム７の寿命が充分であるか等の判断を行う。ここで、消耗品環境が充分である場合（Ｓ３がＹＥＳ）、通常モードの印刷処理を行う（Ｓ４）。すなわち、直ちに印刷処理を実行する。
【００３８】
一方、消耗品環境が充分でない場合（Ｓ３がＮＯ）、即ち消耗品環境が所定の条件以下である場合、次にプロセス条件を判断する（Ｓ５）、このプロセス条件は、例えばプリンタ装置１の現在の状態であり、スリープ中であるか、又は予熱中であるか、又はアイドリング中であるか、又は記録紙を搬送するための駆動モータが回転中であるか、又は印刷処理中であるか等の判断を行う。
【００３９】
すなわち、直ちに何らの切り換え動作も行うことがなく、プリンタ装置１を印刷処理状態に移行できるか判断する。そして、直ちに印刷処理状態に移行できる場合（Ｓ５がＹＥＳ）、通常モードの印刷処理を行う（Ｓ４）。一方、直ちに印刷処理に移行できない場合（Ｓ５がＮＯ）、ロングライフモードに移行する（Ｓ６）。
【００４０】
図４はロングライフモードの処理を説明するフローチャートである。先ず、受信バッファに保持された印刷データが所定頁数を越えたか判断する（Ｓ６−１）。例えば、予め受信バッファに閾値（ｎ頁）の設定を行い、受信バッファに保持された印刷データの頁数（バッファ頁数）がｎ頁を越えると（Ｓ６−１がＹＥＳ）、印刷の準備処理を実行する（Ｓ６−２）。尚、この場合、受信バッファに保持された印刷ジョブ数（バッファＪＯＢ数）がｍ（個）を越えると、印刷の準備処理を実行する構成としてもよい。
【００４１】
この印刷準備処理は、例えば前述のプロセス条件がスリープ中であれば、スリープ状態を解除し、予熱中であれば、ベルト式熱定着装置２７を加熱（ウォームアップ）し、ベルトを印刷位置に設定する為、転写ベルト１４の位置の切り換え準備を行う。その後、上記印刷準備処理が完了すると、印刷処理を開始する（Ｓ７）。
【００４２】
以上のように処理することによって、プリンタ装置１は受信バッファに印刷データが所定頁（ｎ頁）以上保持された後（又は受信バッファに印刷ジョブが所定個（ｍ個）以上保持された後）、印刷処理を実行するので、プリンタ装置１を最小の動作時間で印刷処理を行わせることができる。この為、トナー等の消耗品の無駄を無くすこともできる。
【００４３】
また、最小の動作時間で印刷処理を行うことができる為、電力の無駄を省くこともできる。さらに、寿命を有する部品を効率よく使用することができる。すなわち、本例のロングライフモードの処理によって、頻繁に稼動と停止を繰り返すことがないように制御され、無駄な通電、無駄な起動、停止による切換動作によって、部品の消耗を極力少なく抑え、プリンタ装置１の寿命を延ばすこともできる。
【００４４】
尚、上記実施形態の説明では、受信バッファに供給される後続データの受信を待つが、更に所定時間の設定を行い、当該時間内に後続データが供給されない場合、印刷処理を開始する構成としてもよい。
【００４５】
また、上記閾値をプリンタ装置１のオペレーションパネルを使用して設定することにより、当該プリンタ装置１が設置された使用環境や周囲環境に適合した設定を行うことができる。
【００４６】
本例のロングライフモード処理によって、例えばプリンタ装置１が完全にアイドリング状態で、転写ベルト１４も回転していない状態で、パーソナルコンピュータ（ＰＣ）から印刷データが供給されると、閾値であるｎ頁の印刷データが保持されるまで待って、印刷処理を行う。一方、転写ベルト１４が回転中である場合等、直ちに印刷処理を開始できる状態にある場合には、受信バッファに保持された印刷データが僅かでも印刷処理を実行する。
【００４７】
尚、プリンタ装置１がスリープ状態であり、例えば受信バッファに１頁分の印刷データしか保持されていない場合、ヒータの通電を半分にして時間をかけてレディー状態に設定し、次の印刷データが受信バッファに入力するのを待って印刷処理を行う構成としてもよい。また、この場合、受信バッファに保持される印刷データの頁数によってウォームアップの時間を切り換えるように処理してもよい。
上記制御は、トナー残量や、転写ベルト１４の寿命に応じて行うようにしてもよく、また所定のレベルを越えた場合に上記処理を行う構成としてもよい。
（実施形態２）
【００４８】
次に、本発明の実施形態２について説明する。尚、本例においても、前述の図１に示すプリンタ装置１の全体図を使用する。
前述のように、４つの画像形成部２は、図１の右から左へ４個の画像形成ユニット６（６Ｍ、６Ｃ、６Ｙ、６Ｋ）を多段式に並設した構成であり、上記４個の画像形成ユニット６のうち上流側（図の右側）の３個の画像形成ユニット６Ｍ、６Ｃ、及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として文字や画像の暗黒部分等に用いられるブラック（Ｋ）トナーによるモノクロ画像を形成する。
【００４９】
また、前述の転写ベルト１４のループ内にベルト位置制御機構１７が配設されており、このベルト位置制御機構１７によって、転写ベルト１４を感光体ドラム７と接離する。
図５は本例を説明する回路図であり、特に本例に関連する電源回路４０とエンジン制御部４１の構成を示す。電源回路４０には主電源スイッチ４２を介して商用電源４３が入力し、電源回路４０はエンジン制御部４１にモータ駆動用の負荷電源４４、ロジック制御用電源４５、及び低電力電源４６を供給する。
【００５０】
エンジン制御部４１はＣＰＵ４７、電源制御回路４８、モータ駆動回路４９で構成され、ＣＰＵ４７は上記ロジック制御用電源４５を使用して転写ベルト１４の位置を切り換える。また、ベルト位置センサ５０は上記転写ベルト１４の位置を検知し、位置検知信号をＣＰＵ４７に送る。ＣＰＵ４７はこの位置検知信号に従って転写ベルト１４の位置を後述するように切り換え制御する。また、ベルト駆動モータ５１は前述のモータ駆動用の負荷電源４４を使用して転写ベルト１４を移動させる。
【００５１】
尚、電源制御回路４８の制御によって電源リモート信号５２が電源回路４０に出力され、電源回路４０はモータ駆動用の負荷電源４４やロジック制御用電源４５のオン、オフ処理を行う。また、低電力電源４６は常時エンジン制御部４１に僅かな電力を供給する電源である。さらに、常用電源スイッチ５３は、ユーザによって使用されるスイッチであり、この常用電源スイッチ５３の状態は、常時ＣＰＵ４７によって監視される。
【００５２】
上記構成において、以下に本例の処理動作を説明する。
図６は本例の処理動作を説明するフローチャートであり、同図（ａ）は電源をオンした時の処理を示し、同図（ｂ）は電源をオフした時の処理を示す。先ず、同図（ａ）の処理において、電源をオンすると、ＣＰＵ４７は常用電源スイッチ５３の状態を判断する（ステップ（以下、ＳＴで示す）１）。
【００５３】
ここで、常用電源スイッチ５３がオン状態であると（ＳＴ１がＹＥＳ）、この状態は電源制御回路４８を介して電源回路４０に通知され、電源リモートをオンし、電源回路４０から前述のモータ駆動用の負荷電源４４及びロジック制御用電源４５をエンジン制御部４１に供給する（ＳＴ２）。
【００５４】
この処理により、モータ駆動回路４９からベルト駆動モータ５１に駆動信号が供給され（ＳＴ３）、転写ベルト１４の位置をカラー印刷状態、又はモノクロ印刷状態に移動する（ＳＴ４）。
【００５５】
図７（ａ）はカラー印刷状態に転写ベルト１４を移動した状態を示す。また、同図（ｂ）はモノクロ印刷状態に転写ベルト１４を移動した状態を示す。尚、同図（ａ）、（ｂ）において、１３Ｍはマゼンタの現像ロールを示し、１３Ｃはシアンの現像ロールを示し、１３Ｙはイエローの現像ロールを示し、１３Ｋはブラックの現像ロールを示す。また、１８Ｍはマゼンタの転写ロールを示し、１８Ｃはシアンの転写ロールを示し、１８Ｙはイエローの転写ロールを示し、１８Ｋはブラックの転写ロールを示す。
【００５６】
その後、ベルト駆動モータ５１の駆動を停止する（ＳＴ５）。
次に、プリンタ装置１による印刷処理が終了し、プリンタ装置１をオフする場合には、先ず常用電源スイッチ５３の状態を判断し（ＳＴ６）、常用電源スイッチ５３がオン状態であると（ＳＴ６がＹＥＳ）、電源回路４０からエンジン制御部４１にモータ駆動用の負荷電源４４及びロジック制御用電源４５を供給し、ベルト駆動モータ５１を駆動する（ＳＴ７）。
【００５７】
次に、ベルト位置センサ５０からのベルト位置情報に基づいて、退避モード位置に転写ベルト１４を移動する（ＳＴ８）。図７（ｃ）は転写ベルト１４を退避モード位置に移動した状態を示す。この状態は、何れの現像ロールと転写ロールも転写ベルト１４を挟持しておらず、転写ベルト１４にテンションが掛からない状態である。したがって、プリンタ装置１に電源が供給されていない状態で、常に転写ベルト１４にはテンションが掛からず、転写ベルト１４の寿命を延ばすことができる。
尚、上記転写ベルト１４を退避位置に移動する処理をスリープモードにおいて実行してもよい。
【符号の説明】
【００５８】
１・・・プリンタ装置
２・・・画像形成部
３・・・中間転写ベルトユニット
４・・・給紙部
５・・・両面印刷用搬送ユニット
６、６Ｍ、６Ｃ、６Ｙ、６Ｋ・・画像形成ユニット
７・・・感光体ドラム
８・・・クリーナ
９・・・帯電ローラ
１１・・光ヘッド
１２・・現像器
１３・・現像ローラ
１４・・転写ベルト
１５・・駆動ローラ
１６・・従動ローラ
１７・・ベルト位置制御機構
１８・・一次転写ローラ
１９・・廃トナー回収容器
２１・・給紙カセット
２２・・用紙取出ローラ
２３・・給送ローラ
２４・・捌きローラ
２５・・待機搬送ローラ対
２６・・二次転写ローラ
２７・・ベルト式熱定着装置
２８・・搬出ローラ対
２９・・排紙トレー
３１・・排紙ローラ対
３３ａ〜３３ｄ・・返送ローラ対
３５・・クリーニング部
３６・・取り込みローラ
３７・・押圧ローラ
３８・・制御部
３８ａ・・マイコン
３８ｂ・・メモリ
３８ｃ・・ビデオ制御回路
３９・・ビデオエンジン
４０・・電源回路
４１・・エンジン制御部
４２・・主電源スイッチ
４３・・商用電源
４４・・モータ駆動用の負荷電源
４５・・ロジック制御用電源
４６・・低電力電源
４７・・ＣＰＵ
４８・・電源制御回路
４９・・モータ駆動回路
５０・・ベルト位置センサ
５１・・ベルト駆動モータ
５２・・電源リモート信号
５３・・常用電源スイッチ
【図１】
2010000798.tif 000003
【図２】
2010000798.tif 000004
【図３】
2010000798.tif 000005
【図４】
2010000798.tif 000006
【図５】
2010000798.tif 000007
【図６】
2010000798.tif 000008
【図７】
2010000798.tif 000009